(57)【要約】【課題】様々な形状の街路に立設する電柱に架設される低圧線について、低圧線を低圧碍子に捕縛固定するバインド線を弛みにくい状況下に置く。【解決手段】低圧ラック１０１は、凹面状の外周面で低圧線２０２を支える低圧碍子３０１の軸心１０３の両端部分を支持する第１アーム１０２ａおよび第２アーム１０２ｂと、これらを接続する接続部材１０２ｃとによって構成される。第１アーム１０２ａは、電柱２０１の長さ方向に沿って電柱２０１に当接する第１当接領域１０２ａｂを有する。また、接続部材１０２ｃは、第１当接領域１０２ａｂに対し非垂直状態をなす第２当接領域１０２ｃｂを有する。直線街路では、第１当接領域１０２ａｂを電柱２０１に当接させて低圧ラック１０１を電柱２０１に取り付ける。曲線街路では、第２当接領域１０２ｃｂを電柱２０１に当接させて低圧ラック１０１を電柱２０１に取り付ける。【選択図】図５
2009118566.tif 000002
【特許請求の範囲】
【請求項１】
電柱の長さ方向に沿って当該電柱に当接することができる第１当接領域を備え、凹面状の外周面で低圧線を支える低圧碍子の軸心を前記第１当接領域に対し垂直に向けて当該軸心の一端側を支持する第１アームと、
前記第１アームに対し平行に位置付けられ前記軸心の他端側を支持する第２アームと、
前記第１アームと前記第２アームとを接続し、前記第１当接領域に対して非垂直状態をなし前記電柱の長さ方向に沿って当該電柱に当接することができる第２当接領域を備える接続部材と、
を備える低圧ラック。
【請求項２】
前記第１アームおよび前記第２アームは、前記低圧碍子の軸心の両端を貫通させてその貫通した両端に設けられている締結構造によって当該低圧碍子を支持する構造を有し、
前記第１アームは、その両側縁が前記締結構造による突出高よりも高くなる折曲げ高で折曲加工され、この折曲加工部分を前記第１当接領域としている、
請求項１記載の低圧ラック。
【請求項３】
凹面状の外周面で低圧線を支える低圧碍子の軸心を垂直に向けて当該軸心の一端側を支持する第１アームと、前記第１アームに対し平行に位置付けられ前記軸心の他端側を支持する第２アームと、前記低圧碍子の軸心方向と平行に配置されて前記第１アームと前記第２アームとを接続する接続部材と、を備える低圧ラック本体部と、
電柱の長さ方向に沿って当該電柱に当接することができる第１当接領域を備える第１辺部材と、一端側を前記第１辺部材の下端側に接続し当該第１辺部材から前記第１当接領域に対し垂直に延出し前記低圧ラック本体部の接続部材を連結固定させる第２辺部材と、前記第１辺部材の上端側と前記第２辺部材の他端側とを接続し、前記第１当接領域に対して鋭角方向に延出して前記電柱の長さ方向に沿って当該電柱に当接することができる第２当接領域を備える第３辺部材と、を備える低圧ラック用アダプタと、
を備える低圧ラック。
【請求項４】
電柱の長さ方向に沿って当該電柱に当接することができる第１当接領域を備える第１辺部材と、一端側を前記第１辺部材の下端側に接続し当該第１辺部材から前記第１当接領域に対し垂直に延出する第２辺部材と、前記第１辺部材の上端側と前記第２辺部材の他端側とを接続し、前記第１当接領域に対して鋭角方向に延出して前記電柱の長さ方向に沿って当該電柱に当接することができる第２当接領域を備える第３辺部材と、を備え、
前記第２辺部材は、凹面状の外周面で低圧線を支える低圧碍子の軸心を垂直に向けて当該軸心の一端側を支持する第１アームと、前記第１アームに対し平行に位置付けられ前記軸心の他端側を支持する第２アームと、前記低圧碍子の軸心方向と平行に配置されて前記第１アームと前記第２アームとを接続する接続部材と、を備える低圧ラック本体部の前記接続部材を連結固定させる、
低圧ラック用アダプタ。
【発明の詳細な説明】
【技術分野】
【０００１】
本発明は、低圧碍子を支持する低圧ラックおよびこれに用いられる低圧ラック用アダプタに関する。
【背景技術】
【０００２】
従来、低圧碍子を支持する低圧ラックを電柱や電柱に接続される槍出し金具などに接続し、低圧線を低圧碍子に引き留めて一般家庭まで低圧線を架設することが行われている。
【０００３】
低圧線を低圧碍子に引き留める際には、一例として、電柱や槍出し金具に特許文献１の図１に記載されているような低圧ラック（特許文献１では低圧碍子支持金具）を接続し、特許文献２に記載されているようなバインド線を用いて低圧線を低圧ラックに支持される低圧碍子に捕縛させることが行われている。低圧碍子は、鉛直方向に軸心をなす貫通軸（特許文献１ではボルト杆７）が貫通し、低圧碍子の外周に貫通軸の軸回り方向に形成された凹面状の外周面（特許文献１では溝１０’）を水平方向に開く向きに向いた状態で低圧ラックに支持されている（特許文献１の図１参照）。そして、略水平に張り架けられた低圧線は、凹面状の外周面に水平方向にフィットした状態でバインド線によって低圧碍子に捕縛固定される（特許文献１の段落番号００１０参照）。
【０００４】
また、別の一例として、特許文献３の図４に記載されているような、低圧線を引っ掛けるためのフックや低圧線を取り付けるための支持孔を備える電線用碍子を有する電線ラックを電柱に取付けて、この電線用碍子を用いて低圧線を引き留めることも行われている。  
【特許文献１】特開平０９−０２７２２４号公報
【特許文献２】特開平０７−１９３９５３号公報
【特許文献３】実用新案登録第３１１０９７１号公報
【発明の開示】
【発明が解決しようとする課題】
【０００５】
特許文献１に記載されているような低圧ラックを用いて直線街路に立設する複数の電柱に渡って低圧線を架設する場合、低圧線を低圧碍子に捕縛固定するバインド線は、常に略水平に架設される低圧線の自重を受けることになる。街路が曲線路である場合には、バインド線は、低圧線の自重に加え、低圧線が街路に沿って張架されることにより横方向に作用する低圧線の張力も受けることになる。さらに、低圧線は風力を受けて揺動するため、バインド線は低圧線の揺動力も受ける。
【０００６】
このように、特許文献１に記載されているような低圧ラックを用いて低圧線を架設する場合、低圧線を低圧碍子に捕縛固定するバインド線は、低圧線の自重、張力および揺動力を受け、弛みやすくなる状況下に置かれている。バインド線が弛んでしまうと、低圧線が低圧碍子から脱落やすくなり、低圧線を被覆する被覆部材が低圧ラックに接触して低圧線に流れる電流が低圧ラックに漏電する危険性を孕むことになる。
【０００７】
また、特許文献３に記載されている電線用碍子は、フックおよび支持孔を備えるという特殊な形状であり、所定の方向に架設される低圧線を支持する場合には適しているが、様々な形状の街路に立設する電柱に低圧線を架設するには適しておらず、汎用性に乏しい。
【０００８】
本発明の目的は、様々な形状の街路に立設する電柱に架設される低圧線について、低圧線を低圧碍子に捕縛固定するバインド線を弛みにくい状況下に置くことである。
【課題を解決するための手段】
【０００９】
本発明の低圧ラックは、電柱の長さ方向に沿って当該電柱に当接することができる第１当接領域を備え、凹面状の外周面で低圧線を支える低圧碍子の軸心を前記第１当接領域に対し垂直に向けて当該軸心の一端側を支持する第１アームと、前記第１アームに対し平行に位置付けられ前記軸心の他端側を支持する第２アームと、前記第１アームと前記第２アームとを接続し、前記第１当接領域に対して非垂直状態をなし前記電柱の長さ方向に沿って当該電柱に当接することができる第２当接領域を備える接続部材と、を備える。
【００１０】
また、別の面から見た本発明の低圧ラックは、（Ａ）凹面状の外周面で低圧線を支える低圧碍子の軸心を垂直に向けて当該軸心の一端側を支持する第１アームと、前記第１アームに対し平行に位置付けられ前記軸心の他端側を支持する第２アームと、前記低圧碍子の軸心方向と平行に配置されて前記第１アームと前記第２アームとを接続する接続部材と、を備える低圧ラック本体部と、（Ｂ）電柱の長さ方向に沿って当該電柱に当接することができる第１当接領域を備える第１辺部材と、一端側を前記第１辺部材の下端側に接続し当該第１辺部材から前記第１当接領域に対し垂直に延出し前記低圧ラック本体部の接続部材を連結固定させる第２辺部材と、前記第１辺部材の上端側と前記第２辺部材の他端側とを接続し、前記第１当接領域に対して鋭角方向に延出して前記電柱の長さ方向に沿って当該電柱に当接することができる第２当接領域を備える第３辺部材と、を備える。
【００１１】
また、本発明は、上記低圧ラック用アダプタについても規定する。
【発明の効果】
【００１２】
本発明によれば、直線街路においては、第１アーム（第１辺部材）に備わる第１当接領域を電柱の長さ方向に沿わせて低圧ラックを電柱に取り付けることにより低圧碍子の凹面上の外周面は上向きに開き、低圧線を低圧碍子に載置して低圧線の自重を低圧碍子にかけてバインド線が受ける力を軽減させることが可能になり、また、曲線街路においては、接続部材（第３辺部材）に備わる第２当接領域を電柱の長さ方向に沿わせて低圧ラックを電柱に取り付けることにより低圧碍子の凹面上の外周面は斜め上向きに開き、低圧線を凹面上の外周面にフィットさせて鉛直方向に働く低圧線の自重および横方向に働く低圧線の張力の双方を低圧碍子にかけてバインド線が受ける力を軽減させることが可能になり、したがって、様々な形状の街路に立設する電柱に架設される低圧線について、低圧線を低圧碍子に捕縛固定するバインド線を弛みにくい状況下に置くことができる。
【発明を実施するための最良の形態】
【００１３】
本発明の実施の一形態を図１ないし図５に基づいて説明する。
【００１４】
図１（ａ）は、直線街路２００に立設する電柱２０１に張り架けられた低圧線２０２を示す模式図である。図１（ｂ）は、曲線街路２００ａに立設する電柱２０１に張り架けられた低圧線２０２を示す模式図である。低圧ラック１０１は、街路沿いに所定間隔をもって立設されている電柱２０１に、電柱２０１を巻回する支持バンド２０３によって電柱２０１の上方に固定されている。低圧ラック１０１は側面視略コ字形状であり、互いに平行な第１アーム１０２ａおよび第２アーム１０２ｂと、この両者を接続する接続部材１０２ｃとにより構成されている。第１アーム１０２ａの外側辺１０２ａｂは、電柱２０１の長さ方向に沿って電柱２０１に当接することができる第１当接領域を形成している。第１アーム１０２ａおよび第２アーム１０２ｂは、低圧碍子３０１を貫通する軸心としてのボルト１０３の両端部分を支持している。接続部材１０２ｃの一部は屈曲しており、図２および図４に示すように、平坦部１０２ｃｘと斜面部１０２ｃｙとを形成している。接続部材１０２ｃの斜面部１０２ｃｙ部分の外側辺１０２ｃｂは、電柱２０１の長さ方向に沿って電柱に当接することができる第２当接領域を形成している。
【００１５】
低圧碍子３０１の外周面はボルト１０３の軸回り方向に沿って凹面状に形成されており、低圧線２０２を支える支持溝３０３を形成している。低圧線２０２は、低圧碍子３０１の支持溝３０３にフィットした状態で、バインド線２０４によって低圧碍子３０１に捕縛固定される。
【００１６】
低圧ラック１０１は、図１（ａ）に示すように、第１当接領域としての第１アーム１０２ａの外側辺１０２ａｂを電柱２０１の長さ方向に沿わせた状態で、支持バンド２０３によって電柱に取り付けることが可能である。このように低圧ラック１０１が設置されることにより、低圧碍子３０１の支持溝３０３は上向きに開き、低圧線２０２を低圧碍子３０１に載置することが可能になる。このように低圧ラック１０１を電柱２０１に取り付ける方法は、電柱２０１に対し近接もしくは離反する方向にかかる低圧線２０２の張力が小さい直線街路２００において有効である。
【００１７】
また、低圧ラック１０１は、図１（ｂ）に示すように、第２当接領域としての接続部材１０２ｃの斜面部１０２ｃｙの外側辺１０２ｃｂを電柱２０１の長さ方向に沿わせた状態で、低圧ラック１０１を電柱に取り付けることが可能である。このように低圧ラック１０１が設置されることにより、低圧碍子３０１の支持溝３０３は電柱２０１の方向に傾いた斜め上向きに開き、低圧線２０２を支持溝３０３にフィットさせて低圧碍子３０１に載置することが可能になる。このように低圧ラック１０１を電柱２０１に取り付ける方法は、電柱２０１に対し近接もしくは離反する方向にかかる低圧線２０２の張力が比較的大きい曲線街路２００ａにおいて有効である。
【００１８】
このように、図１（ａ）に示す低圧ラック１０１の取り付け方法、および、図１（ｂ）に示す低圧ラック１０１の取り付け方法を採用することにより、鉛直方向に働く低圧線２０２の自重および横方向に働く低圧線２０２の張力の双方を低圧碍子にかけることができ、相対的にバインド線２０４が受ける力を軽減させることが可能となる。
【００１９】
図１（ａ）および図１（ｂ）に示すような電柱２０１の取り付け方が可能である低圧ラック１０１の構造の詳細について、以下に述べる。
【００２０】
図２は、ボルト１０３によって低圧碍子３０１を固定した状態の低圧ラック１０１の左側面図である。図３は、低圧ラック１０１の背面図である。図４は、低圧ラック１０１の外観斜視図である。低圧ラック１０１は、第１アーム１０２ａおよび第２アーム１０２ｂのそれぞれの上端を接続部材１０２ｃが接続して側面視略コ字形状に一体形成されている。第１アーム１０２ａ、第２アーム１０２ｂおよび接続部材１０２ｃはいずれも長尺の平板形状である。第１アーム１０２ａおよび第２アーム１０２ｂは、互いに平行に離間した位置関係をなしている。接続部材１０２ｃは、図２に示すように、略４５度内側に折れ曲がり、平坦部１０２ｃｘと斜面部１０２ｃｙとを形成している。斜面部１０２ｃｙの長さは、平坦部１０２ｃｘの長さよりも長くなっている。接続部材１０２ｃは、平坦部１０２ｃｘと第１アーム１０２ａとが直角をなし、斜面部１０２ｃｙと第２アーム１０２ｂとが略１３５度の角度をなして、第１アーム１０２ａおよび第２アーム１０２ｂのそれぞれに接続している。
【００２１】
互いに平行に離間している第１アーム１０２ａと第２アーム１０２ｂとの間には、低圧碍子３０１が配置される。第１アーム１０２ａおよび第２アーム１０２ｂは、低圧碍子３０１の軸心となるボルト１０３を貫通させてその貫通した両端に設けられている締結構造１１０によって低圧碍子３０１を支持する構造を有している。より詳細には、第１アーム１０２ａと第２アーム１０２ｂとのそれぞれには、互いに向かい合う位置にボルト１０３を挿通可能なボルト孔１０２ａａ、１０２ｂａが形成されている。低圧碍子３０１に形成されている貫通孔３０２の開口部分を第１アーム１０２ａに形成されたボルト孔１０２ａａおよび第２アーム１０２ｂに形成されたボルト孔１０２ｂａのそれぞれに合わせた状態でボルト１０３を挿通し、ボルト頭１０３ａを第１アーム１０２ａに当接させた状態で第２アーム１０２ｂを貫通しボルト孔１０２ｂａから突出するボルト杆１０３ｂにナット１０３ｃを装着してそのナット１０３ｃを締め付けることによって、ボルト１０３の両端部分は第１アーム１０２ａおよび第２アーム１０２ｂのそれぞれに固定された状態となって、低圧碍子３０１はボルト１０３に支持される。すなわち、ボルト頭１０３ａとナット１０３ｃとは、締結構造１１０を構成している。また、ボルト１０３は図２および図３に示す向きとは反対の向きに挿通することも当然のことながら可能である。この場合、ボルト頭１０３ａは第２アーム１０２ｂに当接し、第１アーム１０２ａを貫通しボルト孔１０２ａａから突出するボルト杆１０３ｂにナット１０３ｃを装着することになる。
【００２２】
低圧ラック１０１を構成する第１アーム１０２ａ、第２アーム１０２ｂおよび接続部材１０２ｃのいずれも、両長辺の側縁部は低圧ラック１０１の側面視略コ字形状の外側に向けて各々の長辺と平行に折り曲げ加工されており、低圧ラック１０１の外側に向けて側壁１０４が形成されている。そのため、第１アーム１０２ａ、第２アーム１０２ｂおよび接続部材１０２ｃのいずれも、幅方向の断面がコ字形状となっている。この折曲加工の折り曲げ高は、第１アーム１０２ａのボルト孔１０２ａａから外側に突出するボルト頭１０３ａの突出高よりも高くなっており、そのために、第１アーム１０２ａの側壁１０４の外側辺は、第１アーム１０２ａのボルト孔１０２ａａから外側に突出するボルト頭１０３ａよりも外側まで突出している。ここで、ボルト１０３およびナット１０３ｃが図２および図３に示す向きとは反対の向きに挿通されている場合、第１アーム１０２ａのボルト孔１０２ａａからはボルト杆１０３ｂの先端が突出することになる。この場合、第１アーム１０２ａの側壁１０４の外側辺は、ボルト孔１０２ａａから突出するボルト杆１０３ｂの突出高よりも外側まで突出するように、第１アーム１０２ａは折曲加工される。なお、側壁１０４の外側辺はいずれも直線形状となっている。
【００２３】
このように形成された低圧ラック１０１は、第１アーム１０２ａを電柱２０１の長さ方向に沿わせた状態で支持バンド２０３によって電柱２０１に固定することができる。つまり、第１アーム１０２ａの折曲加工部分である側壁１０４の外側辺１０２ａｂは、電柱２０１と当接することができる第１当接領域としての役割を果たす。また、低圧ラック１０１は、接続部材１０２ｃの斜面部１０２ｃｙを電柱２０１の長さ方向に沿わせた状態で支持バンド２０３によって電柱２０１に固定することができる。つまり、接続部材１０２ｃに形成されている側壁１０４の外側辺１０２ｃｂは、電柱２０１と当接することができる第２当接領域としての役割を果たす。
【００２４】
図５（ａ）は、第１アーム１０２ａの外側辺１０２ａｂを電柱２０１に沿わせて電柱２０１に固定された状態の低圧ラック１０１の右側面図である。図５（ｂ）は、斜面部１０２ｃｙの外側辺１０２ｃｂを電柱２０１に沿わせて電柱２０１に固定された低圧ラック１０１の右側面図である。前述したように、第１アーム１０２ａ、第２アーム１０２ｂおよび接続部材１０２ｃのそれぞれに形成されている側壁１０４の外側辺は直線形状となっている。そのため、本実施の形態の低圧ラック１０１は、図５（ａ）に示すように、第１アーム１０２ａの外側辺１０２ａｂを電柱２０１の長さ方向に沿わせた状態で支持バンド２０３によって電柱に固定することができる。また、本実施の形態の低圧ラック１０１は、図５（ｂ）に示すように、接続部材１０２ｃの斜面部１０２ｃｙの外側辺１０２ｃｂを電柱２０１の長さ方向に沿わせた状態で支持バンド２０３によって電柱に固定することができる。
【００２５】
図５（ａ）に示す方法で低圧ラック１０１を電柱２０１に固定した場合、低圧碍子３０１の支持溝３０３は上向きに開く。この状態の支持溝３０３に低圧線２０２をフィットさせて低圧線２０２を低圧碍子３０１に載置すると、低圧線２０２の自重は低圧碍子３０１にかかり、その分だけ低圧線２０２を低圧碍子３０１に捕縛固定するバインド線２０４にかかる力は減少する。結果として、バインド線２０４は弛みにくくなる。また、バインド線２０４が弛んだとしても、低圧線２０２はその自重により支持溝３０３にフィットしたままの状態が維持され低圧線２０２が低圧碍子３０１から脱落しにくくなり、低圧線２０２を被覆する被覆部材が低圧ラック１０１に接触してその被覆部材が損傷することを防ぐことができる。
【００２６】
図５（ｂ）に示す方法で低圧ラック１０１を電柱２０１に固定した場合、低圧碍子３０１の支持溝３０３は上向きよりも電柱２０１の方向に略４５度傾いた向きに開く。この状態の支持溝３０３に低圧線２０２をフィットさせて低圧線２０２を低圧碍子３０１に載置すると、低圧線２０２の自重は低圧碍子３０１の支持溝３０３部分にかかり、また、電柱２０１から離反する方向に働く低圧線２０２の張力も低圧碍子３０１の支持溝３０３部分にかかる。低圧碍子３０１が受ける力の分だけ、低圧線２０２を低圧碍子３０１に捕縛固定するバインド線２０４にかかる力は減少する。結果として、バインド線２０４は弛みにくくなる。また、バインド線２０４が弛んだとしても、低圧線２０２はその自重および張力によって支持溝３０３にフィットしたままの状態が維持されるため、低圧線２０２が低圧碍子３０１から脱落しにくい。
【００２７】
このように、本実施の形態の低圧ラック１０１によれば、直線街路２００（図１（ａ）参照）において、第１アーム１０２ａの外側辺１０２ａｂを電柱２０１の長さ方向に沿わせて低圧ラック１０１を電柱２０１に取り付けることにより低圧碍子３０１の支持溝３０３は上向きに開き、低圧線２０２を低圧碍子３０１に載置して低圧線２０２の自重を低圧碍子３０１にかけてバインド線２０４が受ける力を軽減させることが可能になる。また、本実施の形態の低圧ラック１０１によれば、曲線街路２００ａ（図１（ｂ）参照）において、接続部材１０２ｃの斜面部１０２ｃｙの外側辺１０２ｃｂを電柱２０１の長さ方向に沿わせて低圧ラック１０１を電柱２０１に取り付けることにより低圧碍子３０１の支持溝３０３は斜め上向きに開き、低圧線２０２を支持溝３０３にフィットさせて鉛直方向に働く低圧線２０２の自重および横方向に働く低圧線２０２の張力の双方を低圧碍子３０１にかけてバインド線２０４が受ける力を軽減させることが可能になる。すなわち、本実施の形態の低圧ラック１０１によれば、直線および曲線問わず様々な形状の街路に立設する電柱２０１に架設される低圧線２０２について、低圧線２０２を低圧碍子３０１に捕縛固定するバインド線２０４を弛みにくい状況下に置くことができる。
【００２８】
さらに、本実施の形態の低圧ラック１０１によれば、バインド線２０４が弛んだとしても、低圧線２０２が支持溝３０３にフィットした状態のまま維持されるので、低圧線２０２が脱落して低圧ラック１０１に接触することを防ぐことができる。
【００２９】
加えて、本実施の形態の低圧ラック１０１によれば、バインド線２０４で低圧線２０２を低圧碍子３０１に捕縛固定するバインド打ち作業を行う際にも、作業員は、低圧線２０２の自重の多くを低圧碍子３０１に受け止めさせて、より強固に低圧線２０２と低圧碍子３０１とを捕縛固定することができる。
【００３０】
次いで、別の実施の形態を図６および図７に基づいて説明する。この場合、図１ないし図５に基づいて説明した実施の一形態と同一の部分は同一符号で示し、説明も省略する。本発明の別の実施の一形態の低圧ラック１０１は、低圧ラック本体部１５０と低圧ラック用アダプタ１５１との二部品が連結されたものである。
【００３１】
図６は、本実施の形態の低圧ラック１０１の左側面図である。本実施の形態の低圧ラック１０１は、低圧ラック本体部１５０と低圧ラック用アダプタ１５１とが連結固定されて構成されている。
【００３２】
低圧ラック本体部１５０は、前述した実施の形態の低圧ラック１０１と同様に、第１アーム１０２ａおよび第２アーム１０２ｂのそれぞれの上端を接続部材１０２ｃが接続して側面視略コ字形状に一体形成されている。接続部材１０２ｃは略４５度に屈曲しておらず、第１アーム１０２ａおよび第２アーム１０２ｂのそれぞれと略直角をなしている。すなわち、接続部材１０２ｃには平坦部１０２ｃｘのみが形成されており、低圧碍子３０１の軸心方向と平行に延出している。そして、接続部材１０２ｃの外側に位置付けられる側壁１０４の外側辺１０２ｃｚは直線形状となっている。さらに、接続部材１０２ｃの平坦部１０２ｃｘには、後述する低圧ラック用アダプタ１５１の第２辺部材１５３に備わるボルト孔１６０ｂと同じ形状のボルト孔１６０ａが設けられている。
【００３３】
低圧ラック用アダプタ１５１は、第１辺部材１５２、第２辺部材１５３、第３辺部材１５４を備えて形成されている。低圧ラック用アダプタ１５１の第１辺部材１５２、第２辺部材１５３および第３辺部材１５４はいずれも、低圧ラック本体部１５０の第１アーム１０２ａ、第２アーム１０２ｂおよび接続部材１０２ｃよりも幅広の平板形状である。第２辺部材１５３は、その一端側を第１辺部材１５２の下端側に接続しており、第１辺部材１５２からその第１辺部材１５２の延びる方向に対し垂直に延出している。第３辺部材１５４は、第１辺部材１５２の上端側と第２辺部材１５３の他端側とを接続し、第１辺部材１５２の延びる方向に対し鋭角方向に傾斜している。低圧ラック用アダプタ１５１は、第１辺部材１５２、第２辺部材１５３および第３辺部材１５４が一体形成され側面視略直角三角形形状を形成している。
【００３４】
第２辺部材１５３には、前述したボルト孔１６０ａと同じ形状のボルト孔１６０ｂが設けられている。つまり、低圧ラック本体部１５０の接続部材１０２ｃと低圧ラック用アダプタ１５１の第２辺部材１５３とは、図６に示すように、ボルト孔１６０ａ、１６０ｂを貫通する連結ボルト１６１と、この連結ボルト１６１に螺合するナット１６２によって、互いの長手方向を一致させて連結固定が可能となっている。
【００３５】
低圧ラック用アダプタ１５１の第１辺部材１５２、第２辺部材１５３および第３辺部材１５４には、前述した実施の形態の低圧ラック１０１と同様に、それぞれの両長辺の側縁部は外側に折り曲げられて側壁１５５をなしており、それぞれの幅方向の断面は略コ字形状となっている。また、側壁１５５の外側辺は直線形状となっている。第１辺部材１５２と第３辺部材１５４とは鋭角をなして接続されているため、第１辺部材１５２に形成される側壁１５５の外側辺１５２ａと第３辺部材１５４に形成される側壁１５５の外側辺１５４ａとは、互いに鋭角をなす関係となっている。第１辺部材１５２に形成される側壁１５５の外側辺１５２ａは、連結ボルト１６１およびナット１６２によって接続部材１０２ｃと第２辺部材１５３とが連結した状態で、低圧ラック１０１の第１アーム１０２ａから突出する側壁１０４の外側辺１０２ａｂよりも電柱２０１側に位置付けられる。そのため、第１辺部材１５２に形成されている側壁１５５の外側辺１５２ａは、電柱２０１の長さ方向に沿って当接することができる第１当接領域としての役割を果たす。また、第３辺部材１５４に形成されている側壁１５５の外側辺１５４ａは、電柱２０１の長さ方向に沿って当接することができる第２当接領域としての役割を果たす。
【００３６】
図７は、本実施の形態の低圧ラック１０１が電柱２０１に固定された状態を示す概要図である。本実施の形態の低圧ラック１０１を電柱２０１に固定する方法は、第１辺部材１５２に形成されている側壁１５５の外側辺１５２ａを電柱２０１に沿わせる向きに低圧ラック１０１を電柱２０１に固定し低圧碍子３０１の支持溝３０３を上向きに向ける方法（図７（ａ）参照）と、第３辺部材１５４に形成されている側壁１５５の外側辺１５４ａを電柱２０１に沿わせる向きに低圧ラック１０１を電柱２０１に固定し低圧碍子３０１の支持溝３０３を上向きよりも電柱２０１寄りの斜め上方向に向ける方法（図７（ｂ）参照）とがある。これらの方法によれば、前述した実施の形態と同様に、低圧線２０２の自重や横方向に働く低圧線２０２の張力を低圧碍子３０１にかけることができる。
【００３７】
このように、本実施の形態の低圧ラック１０１によっても、直線および曲線問わず様々な形状の街路に立設する電柱２０１に架設される低圧線２０２について、低圧線２０２を低圧碍子３０１に捕縛固定するバインド線２０４を弛みにくい状況下に置くことができる。
【００３８】
なお、本実施の形態の低圧ラック本体部１５０に備わる第１アーム１０２ａの外側辺１０２ａｂは、電柱２０１と当接しないが、別の実施の形態として、低圧ラック本体部１５０の接続部材１０２ｃに設けるボルト孔１６０ａの第１アーム１０２ａからの距離、および、低圧ラック用アダプタ１５１の第２辺部材１５３に設けるボルト孔１６０ｂの第１辺部材１５２からの距離を等しくすることで、低圧ラック用アダプタ１５１の第１辺部材１５２だけでなく低圧ラック本体部１５０の第１アーム１０２ａも電柱に当接するようにしてもよい。
【図面の簡単な説明】
【００３９】
【図１】（ａ）は、直線街路に立設する電柱に張り架けられた低圧線を示す模式図であり、（ｂ）は、曲線街路に立設する電柱に張り架けられた低圧線を示す模式図である。
【図２】ボルトによって低圧碍子を固定した状態の低圧ラックの左側面図である。
【図３】低圧ラックの背面図である。
【図４】低圧ラックの外観斜視図である。
【図５】（ａ）は、第１アームの外側辺を電柱に沿わせて電柱に固定された状態の低圧ラックの右側面図であり、（ｂ）は、斜面部の外側辺を電柱に沿わせて電柱に固定された低圧ラックの右側面図である。
【図６】低圧ラックの左側面図である。
【図７】低圧ラックが電柱に固定された状態を示す概要図である。
【符号の説明】
【００４０】
１０１  低圧ラック
１０２ａ  第１アーム
１０２ａｂ  外側辺（第１当接領域）
１０２ａｃ  凹空間（凹部）
１０２ｂ  第２アーム
１０２ｃ  接続部材
１０２ｃｂ  外側辺（第２当接領域）
１０３  ボルト（軸心）
１１０  締結構造
１５０  低圧ラック本体部
１５１  低圧ラック用アダプタ
１５２  第１辺部材
１５２ａ  外側辺（第１当接領域）
１５３  第２辺部材
１５４  第３辺部材
１５４ａ  外側辺（第２当接領域）
２０１  電柱
３０１  低圧碍子
３０３  支持溝（凹面状の外周面）
【図１】
2009118566.tif 000003
【図２】
2009118566.tif 000004
【図３】
2009118566.tif 000005
【図４】
2009118566.tif 000006
【図５】
2009118566.tif 000007
【図６】
2009118566.tif 000008
【図７】
2009118566.tif 000009